(57)【要約】【課題】壁材が軽量で取扱い易く、壁材下端部を簡単に挟持固定できるため施工性が良好であり、施工費用も低減できる壁構造を提供する。【解決手段】縦長の前板１ａとその両側端から後方へ折れ曲がる左右の側板１ｂとを少なくとも備えた合成樹脂製の壁材Ｐ１を並べ、下方に設けた断面が凹形のレール材２に各壁材の下端部を嵌め込んで立設すると共に、各壁材の前板下端部とレール材の後側板２ｂとの間に壁材下端部固定用の固定部材６を介装し、各固定部材の前端部６ａとレール材の前側板部２ａとによって各壁材の前板下端部を直接又は間接的に挟持固定した壁構造とする。【選択図】　図１
2004003183.tif 000002
【特許請求の範囲】
【請求項１】
縦長の前板とその両側端から後方へ折れ曲がる左右の側板とを少なくとも備えた合成樹脂製の壁材を並べて、下方に設けられた断面が凹形のレール材に各壁材の下端部を嵌め込んで立設すると共に、各壁材の前板下端部とレール材の後側板部との間に壁材下端部固定用の固定部材を介装し、各固定部材の前端部とレール材の前側板部とによって各壁材の前板下端部を直接又は間接的に挟持固定したことを特徴とする壁構造。
【請求項２】
各壁材の前板下端部とレール材の前側板部との間、及び／又は、各壁材の前板下端部と各固定部材の前端部との間に、バックアップ材を押し込んで、各壁材の前板下端部をレール材の前側板部と各固定部材の前端部とによって間接的に挟持固定すると共に、バックアップ材の上方に生じた隙間にシーリング材を充填したことを特徴とする請求項１に記載の壁構造。
【請求項３】
各固定部材の後端部とレール材の後側板部との間にバックアップ材を押し込むと共に、このバックアップ材の上方に生じた隙間にシーリング材を充填したことを特徴とする請求項１又は請求項２に記載の壁構造。
【請求項４】
各壁材の上端部を、上方に設けられた断面が逆凹形のレール材に嵌め込み、各壁材の前板上端部とレール材の後側板部との間に壁材上端部固定用の固定部材を介装し、各固定部材の前端部とレール材の前側板部とによって各壁材の前板上端部を直接又は間接的に挟持固定したことを特徴とする請求項１ないし請求項３のいずれかに記載の壁構造。
【請求項５】
縦長の前板とその両側端から後方へ折れ曲がる左右の側板とを少なくとも備えた合成樹脂製の半透明の壁材を並べると共に、その後側に同壁材を前後逆向きにして二重に並べ、下方に設けられた断面が凹形のレール材に各壁材の下端部を嵌め込んで立設したことを特徴とする壁構造。
【請求項６】
二重に並べて立設した前後の壁材の間に光源を配設したことを特徴とする請求項５に記載の壁構造。
【請求項７】
壁材が、その左右の側板の後端からそれぞれ内側へ折れ曲がるフランジ部を形成したものである請求項１ないし請求項６のいずれかに記載の壁構造。
【請求項８】
壁材が、その一方の側板の後端から外側へ折れ曲がるフランジ部を形成すると共に、他方の側板の高さを一方の側板の高さよりフランジ部の厚み分だけ低くなるように設定したものであって、このフランジ部の前に次の壁材の他方の側板を重ねて各壁材を並べたことを特徴とする請求項１ないし請求項６のいずれかに記載の壁構造。
【請求項９】
壁材が、その左右の側板の後端からそれぞれ外側へ折れ曲がるフランジ部を形成した断面がハット形のものと、フランジ部を形成していない断面がコ字形のものとの組み合わせからなり、コ字形の壁材の左右の側板の高さをハット形の壁材の左右の側板の高さよりフランジ部の厚み分だけ低くなるように設定すると共に、ハット形の壁材とコ字形の壁材を交互に並べてハット形の壁材のフランジ部の前にコ字形の壁材の側板を重ねたことを特徴とする請求項１ないし請求項６のいずれかに記載の壁構造。
【請求項１０】
壁材がポリカーボネート製であることを特徴とする請求項１ないし請求項９のいずれかに記載の壁構造。
【発明の詳細な説明】
【０００１】
【発明の属する技術分野】
本発明は、合成樹脂製の壁材を用いた施工性の良い壁構造に関する。
【０００２】
【従来の技術】
近年、コ字形の断面を有するガラス製の半透明の壁材を複数並べて立設し、各壁材の上下両端部を上下の溝形材に嵌め込んで取付けた構造の壁が施工されるようになった。このような壁構造は、採光を必要とする外壁や、屋内での仕切り壁や、フェンスや、その他の採光性を有する間仕切りとして好適なものである。
【０００３】
【発明が解決しようとする課題】
しかしながら、上記の壁構造は、ガラス製の壁材が高価であるため施工費用が高くなり、しかも、重量が大きいので持ち運びや取扱いが容易でないという問題があった。また、上下の溝形材に嵌め込んだ各壁材の上下両端部の固定が面倒であって、水密性も良くないという問題があった。更に、壁材相互の隙間を目地材等で詰めないと、該隙間から透視されるという問題があり、壁材相互の間隔調整も難しいという問題があった。また、上記の壁構造を後方から見ると、各壁材の側板が突き出して目立つため、後方からの外観があまり良くないという問題もあった。
【０００４】
本発明は、上記の問題を解決し得る壁構造を提供することを目的としている。
【０００５】
【課題を解決するための手段】
本発明の請求項１に係る壁構造は、縦長の前板とその両側端から後方へ折れ曲がる左右の側板とを少なくとも備えた合成樹脂製の壁材を並べて、下方に設けられた断面が凹形のレール材に各壁材の下端部を嵌め込んで立設すると共に、各壁材の前板下端部とレール材の後側板部との間に壁材下端部固定用の固定部材を介装し、各固定部材の前端部とレール材の前側板部とによって各壁材の前板下端部を直接又は間接的に挟持固定したことを特徴とするものである。
【０００６】
このような壁構造は、合成樹脂製の壁材がガラスより軽量で取扱い易く、しかも、レール材に嵌め込まれた各壁材の前板下端部とレール材の後側板部との間に壁材下端部固定用の固定部材を介装するだけで、各壁材の前板下端部を簡単に挟持固定できるため、施工性が良好である。また、合成樹脂製の壁材はガラス製の壁材に比べてかなり安価であるため、施工費用を低減することもできる。
【０００７】
次に、本発明の請求項２に係る壁構造は、上記請求項１の壁構造において、各壁材の前板下端部とレール材の前側板部との間、及び／又は、各壁材の前板下端部と各固定部材の前端部との間に、バックアップ材を押し込んで、各壁材の前板下端部をレール材の前側板部と各固定部材の前端部とによって間接的に挟持固定すると共に、バックアップ材の上方に生じた隙間にシーリング材を充填したことを特徴とするものである。
【０００８】
このような壁構造は、バックアップ材の介装作業とシーリング材の充填作業が増えるけれども、レール材に嵌め込まれた各壁材の下端部の水密性がシーリング材によって高められる。
【０００９】
次に、本発明の請求項３に係る壁構造は、上記請求項１又は２の壁構造において、各固定部材の後端部とレール材の後側板部との間にバックアップ材を押し込むと共に、このバックアップ材の上方に生じた隙間にシーリング材を充填したことを特徴とするものである。
【００１０】
このような壁構造は、シーリング材によって各固定部材とレール材の後側板部との間の水密性も高められる。
【００１１】
次に、本発明の請求項４に係る壁構造は、上記請求項１〜３のいずれかの壁構造において、各壁材の上端部を、上方に設けられた断面が逆凹形のレール材に嵌め込み、各壁材の前板上端部とレール材の後側板部との間に壁材上端部固定用の固定部材を介装し、各固定部材の前端部とレール材の前側板部とによって各壁材の前板上端部を直接又は間接的に挟持固定したことを特徴とするものである。
【００１２】
このような壁構造は、上方のレール材に嵌め込まれた各壁材の前板上端部と該レール材の後側板部との間に壁材上端部固定用の固定部材を介装するだけで、各壁材の前板上端部も簡単に挟持固定できるため、施工性が一層向上する。
【００１３】
次に、本発明の請求項５に係る壁構造は、縦長の前板とその両側端から後方へ折れ曲がる左右の側板とを少なくとも備えた合成樹脂製の半透明の壁材を並べると共に、その後側に同壁材を前後逆向きにして二重に並べ、下方に設けられた断面が凹形のレール材に各壁材の下端部を嵌め込んで立設したことを特徴とするものである。
【００１４】
このような壁構造は、前方から見ても後方から見ても、各壁材の前板が面一に並んで厚い壁のように見え、各壁材の側板が見えないため、美観が向上する。
【００１５】
次に、本発明の請求項６に係る壁構造は、上記請求項５の壁構造において、二重に並べて立設した前後の壁材の間に光源を配設したことを特徴とするものである。
【００１６】
このような壁構造は、光源からの光が半透明の壁材を通して放出されるため、壁そのものが淡く光って見え、斬新な印象を与えることができる。
【００１７】
次に、本発明の請求項７に係る壁構造は、上記請求項１〜６のいずれかの壁構造において、壁材が、その左右の側板の後端からそれぞれ内側へ折れ曲がるフランジ部を形成したものであることを特徴とする。
【００１８】
このような壁材はフランジ部によって曲げ強度が大きくなるため、壁構造の強度（例えば風圧等に対する強度）を向上させることができる。
【００１９】
次に、本発明の請求項８に係る壁構造は、上記請求項１〜６のいずれかの壁構造において、壁材が、その一方の側板の後端から外側へ折れ曲がるフランジ部を形成すると共に、他方の側板の高さを一方の側板の高さよりフランジ部の厚み分だけ低くなるように設定したものであって、このフランジ部の前に次の壁材の他方の側板を重ねて各壁材を並べたことを特徴とするものである。
【００２０】
この壁構造のように、壁材の一方の側板の下端から外側へ折れ曲がるフランジ部の前に次の壁材の他方の側板を重ねて並べると、壁材相互間の隙間がフランジ部によって閉塞されるので、隙間を埋めなくても透視を防止することが可能となり、また、フランジ部の幅寸法の範囲内で壁材相互の間隔を調節することもできる。
【００２１】
次に、本発明の請求項９に係る壁構造は、上記請求項１〜６のいずれかの壁構造において、壁材が、その左右の側板の後端からそれぞれ外側へ折れ曲がるフランジ部を形成した断面がハット形のものと、フランジ部を形成していない断面がコ字形のものとの組み合わせからなり、コ字形の壁材の左右の側板の高さをハット形の壁材の左右の側板の高さよりフランジ部の厚み分だけ低くなるように設定すると共に、ハット形の壁材とコ字形の壁材を交互に並べてハット形の壁材のフランジ部の前にコ字形の壁材の側板を重ねたことを特徴とするものである。
【００２２】
この壁構造のように、ハット形の壁材とコ字形の壁材とを交互に並べてハット形の壁材のフランジ部の前にコ字形の壁材の側板を重ねると、これらのハット形及びコ字形の壁材相互の隙間がフランジ部によって閉塞されるので、該隙間を埋めなくても透視を防止することができ、また、フランジ部の幅寸法の範囲内で壁材相互の間隔を調節することもできる。
【００２３】
次に、本発明の請求項１０に係る壁構造は、上記請求項１〜９のいずれかの壁構造において、壁材がポリカーボネート製であることを特徴とするものである。
【００２４】
ポリカーボネート製の壁材は十分な実用強度を有し、溶融押出成形等によってガラス製の壁材よりも安価に製造できるので、この壁構造のようにポリカーボネート製の壁材を用いると、充分な実用強度を確保しつつ施工費用を低減することができる。
【００２５】
【発明の実施の形態】
以下、図面を参照して本発明の具体的な実施形態を詳述する。
【００２６】
図１は本発明の一実施形態に係る壁構造の縦断面図、図２は図１のＡ−Ａ線横断面図である。
【００２７】
図１、図２に示す壁構造は、合成樹脂製の半透明の壁材Ｐ１を複数枚並べ、下方に設けられた断面が凹形の金属製のレール材２と、上方に設けられた断面が逆凹形の金属製のレール材３に、各壁材Ｐ１の下端部と上端部をそれぞれ嵌め込んで立設している。
【００２８】
この壁材Ｐ１は、図１０に示すように、縦長の前板１ａとその両側端から後方へ折れ曲がる左右の側板１ｂ，１ｂとを備えた断面がコ字形の合成樹脂製の半透明の壁材であって、壁材の合成樹脂としては、例えばポリ塩化ビニル、ポリアクリル、ポリオレフィン、ポリエステルなどの熱可塑性の各種の樹脂が使用できるが、その中でもポリエステルの一種であるポリカーボネートが好適に使用される。ポリカーボネートは、強度、成形性、価格などのバランスがよく、高品質の壁材を比較的安価に製造することができるからである。この合成樹脂性のＰ１には紫外線吸収剤や光安定剤を含有させ、耐候性を高めることが望ましい。ここで、「半透明の壁材」とは、実質的に透視が困難な透光性の壁材を意味し、壁材の片面若しくは両面に梨地を付した無色或は有色のマット板で製されたもので、３ｍｍ厚のポリカーボネートマットにあっては、全光線添加率が７５〜９０％、ヘイズ値が６０〜４０％である壁材が好ましい。全光線透過率が７５％より低い壁材は採光性に劣り、ヘイズ値が４０％より低い壁材は遮蔽性に劣るため、いずれも好ましくない。また、壁材としては半透明のみならず、乳半色をしたものも好ましく用いられる。この乳半色の壁材は全光線透過率が２５〜４０％で、ヘイズ値が９０〜８０％のものが好ましく用いられる。
【００２９】
各壁材Ｐ１の前板１ａ下端部と下方のレール材２の前側板部２ａとの間には、発泡ポリエチレン等の紐材等からなるバックアップ材４が押し込まれ、このバックアップ材４の上方に生じた隙間にはシーリング材５が充填されている。そして、各壁材Ｐ１の前板１ａ下端部とレール材２の後側板部２ｂとの間には、逆凹形の断面を有する壁材下端部固定用の金属製の固定部材６が圧入して介装されている。従って、各壁材Ｐ１の前板１ａ下端部は、バックアップ材４を介してレール材２の前側板部２ａと固定部材６の前端部６ａとによって前後から間接的に挟持固定されると共に、シーリング材５によって水密性が確保されている。なお、シーリング材に代えてコーキング材を充填してもよい。
【００３０】
また、各壁材Ｐ１の前板１ａ上端部と上方のレール材３の前側板部３ａとの間にも、発泡ポリエチレン等の紐材等からなるバックアップ材４が押し込まれ、このバックアップ材４の下方に生じた隙間にシーリング材５が充填されている。そして、各壁材Ｐ１の前板１ａ上端部とレール材３の後側板部３ｂとの間には、前後で高さの異なる凹形の断面を備えた壁材上端部固定用の金属製の固定部材７が下方から圧入して介装されている。従って、各壁材Ｐ１の前板１ａ上端部も、バックアップ材４を介してレール材３の前側板部３ａと固定部材７の前端部７ａとによって前後から間接的に挟持固定されると共に、シーリング材５によって水密性が確保されている。
【００３１】
各壁材Ｐ１の隣り合う側板１ｂと側板１ｂとの隙間には、図２に示すようにチューブ状バックアップ材８が２本ずつ挟着されており、その前面の各壁材Ｐ１の側板１ａ間にシーリング材５が充填されている。これによって壁材相互間の気密性が確保されると共に、壁材相互間の隙間からの透視が防止されている。なお、屋内で使用する場合は、チューブ状バックアップ材８及び／又は側板間のシーリング材５を省くこともできる。
【００３２】
上記の如き壁構造は、使用する合成樹脂製の壁材Ｐ１がガラス製の壁材より軽量であるため取扱い易く、しかも、上下のレール材２，３に嵌め込まれた各壁材Ｐ１の前板１ａの上下両端部と、レール材２，３の後側板部２ｂ，３ｂとの間に固定部材６，７をそれぞれ圧入して介装することにより、各壁材Ｐ１の前板１ａの上下両端部を簡単に挟持固定できるため、施工性が良好である。そして、合成樹脂製の壁材Ｐ１はガラス製の壁材よりも安価であるため、施工費用を低減することもできる。また、シーリング材５によって各壁材Ｐ１の上下両端部の水密性を確保することができ、更に、チューブ状バックアップ材８及びシーリング材５によって壁材Ｐ１相互間の気密性を確保すると共に、透視を防止することもできる。
【００３３】
図３は本発明の他の実施形態に係る壁構造の縦断面図、図４は図３のＢ−Ｂ線横断面図である。
【００３４】
図３，図４に示す壁構造は、図１１に示すような壁材Ｐ２、即ち、縦長の前板１ａと、その両側端から後方へ折れ曲がる左右の側板１ｂ，１ｂと、これらの側板１ｂ，１ｂの後端から内側へ折れ曲がるフランジン部１ｃ，１ｃとを一体に形成した合成樹脂製の半透明の壁材Ｐ２が複数並べられ、各壁材Ｐ２の上下両端部が上下のレール材２，３に嵌め込まれて立設されている。
【００３５】
そして、各壁材Ｐ２の前板１ａの上下両端部とレール材２，３の後側板部２ｂ，３ｂとの間には固定部材６，７が圧入により介装され、壁材Ｐ２の前板１ａの上下両端部とレール材２，３の前側板部２ａ，３ａとの間、壁材Ｐ２の前板１ａの上下両端部と固定部材６，７の前端部６ａ，７ａとの間、固定部材６，７の後端部６ｂ，７ｂとレール材２，３の後側板部２ｂ，３ｂとの間には、バックアップ材４がそれぞれ押し込まれている。さらに、各バックアップ材４の上方又は下方に生じた隙間にはシーリング材５がそれぞれ充填され、これらのシーリング材５によって水密性が確保されている。
【００３６】
図４に示すように、下方の固定部材６には、壁材Ｐ２のフランジ部１ｃ，１ｃが当たらないように切欠部６ｃ，６ｃが形成され、この切欠部６ｃ，６ｃとフランジ部１ｃ、１ｃとの間、及び、フランジ部１ｃ，１ｃとレール材２の後側板部２ｂとの間にもバックアップ材が押し込まれると共に、シーリング材５が充填されている。同様に、図示はしていないが、上方の固定部材７にも切欠部が形成され、バックアップ材が押し込まれてシーリング材が充填されている。従って、この壁材Ｐ２は、前板部１ａの上下両端部のみならず、フランジ部１ｃ，１ｃの上下両端部も間接的に挟持固定されるため、固定強度が向上すると共に、シーリング材５によって水密性も更に高められる。
【００３７】
また、この壁構造においても、前述の壁構造と同様に、壁材Ｐ２相互の隙間にチューブ状バックアップ材８を２本ずつ押し込んでシーリング材を充填することにより、気密性を確保すると共に、透視を防止している。なお、チューブ状バックアップ材８やシーリング材を省くこともできる
【００３８】
上記の如き壁構造は、壁材Ｐ２のフランジ部１ｃ，１ｃによって壁材Ｐ２の曲げ強度が高められるため、例えば風圧等に対する耐圧強度が前述の壁構造よりも向上する。また、上記のように各壁材Ｐ２の前板１ａの上下両端部のみならず、フランジ部１ｃ，１ｃの上下両端部まで間接的に挟持固定されるため、壁材Ｐ２の固定強度が向上し、壁材Ｐ２と固定部材６，７との間の水密性や、固定部材６，７とレール材２，３の後側板部２ｂ，３ｂとの間の水密性も、シーリング材５によって確保される。
【００３９】
図５は本発明の更に他の実施形態に係る壁構造の縦断面図、図６は図５のＣ−Ｃ線横断面図である。
【００４０】
図５，図６に示す壁構造は、既述した図１０に示す断面がコ字形の前記壁材Ｐ１を並べて立設したものであって、各壁材Ｐ１の下端部は、前述の図１，図２の壁構造と同様に、下方に設けたレール材２に嵌め込まれている。そして、この壁材Ｐ１の下端部とレール材２の前側板部２ａとの間にバックアップ材４が押し込まれ、その上方の隙間にシーリング材５が充填されている。また、各壁材Ｐ１の下端部とレール材２の後側板部２ｂとの間には、壁材下端部固定用の固定部材として化粧木材６０が圧入して介装され、バックアップ材４を介してレール材２の前側板部２ａと化粧木材６０の前端部によって壁材Ｐ１の前板１ａ下端部が間接的に挟持固定されると共に、上記シーリング材５によって壁材Ｐ１の下端部の水密性が高められている。
【００４１】
一方、各壁材Ｐ１の上端部は、上方の軸組木材９に固定された断面が階段形の金属製のサッシ１０に下方から嵌め込まれている。そして、このサッシ１０の前側板部１０ａと壁材Ｐ１の上端部との間にバックアップ材４が押し込まれ、その下方の隙間にシーリング材５が充填されて水密性が確保されている。また、各壁材Ｐ１の上端部と軸組木材９に固定された木枠９ａとの間には、壁材上端部固定用の固定部材として化粧木材６１が挿入されており、この化粧木材６１は脱落しないようにＬ形取付金具１１を用いて壁材Ｐ１の上端部に止具で取付けられている。
【００４２】
また、図６に示すように、互いに隣接する壁材Ｐ１の側板１ｂ，１ｂ同士はボルト・ナット１２で接合固定されると共に、その目地部に目地材１３が埋め込まれており、これによって壁材相互の気密性の確保と、透視の防止が図られている。尚、図５，図６において１４は下方のレール材２を固定するボルトである。
【００４３】
このような壁構造も、図１、図２に示す壁構造と実質同様の作用効果を奏することは言うまでもない。
【００４４】
図５，図６の実施形態に示すように、本発明の壁構造は、上方のレール材３に代えてサッシ１０等を設け、これに壁材の上端部を嵌め込んで固定してもよいものである。
【００４５】
図７は本発明の更に他の実施形態に係る壁構造を示す横断面図である。
【００４６】
この壁構造は、図１２に示す壁材Ｐ３、即ち、縦長の前板１ａと、その両側端から後方へ折れ曲がる左右の側板１ｂ，１ｂと、そのいずれか一方の側板１ｂの後端から外側へ折れ曲がるフランジ部１ｄとを一体形成した合成樹脂製の半透明の壁材であって、他方の側板１ｂの高さＨ１を一方の側板１ｂの高さＨ２よりもフランジ１ｄの厚み分だけ低くなるように設定したものを使用し、図７に示すように各壁材Ｐ３のフランジ部１ｄの前に次の壁材Ｐ３の他方の側板１ｂを重ねながら並べて立設したものである。
【００４７】
その他の構成は前述した図１，図２の壁構造と同様であるので、図７において同一の部材に同一の符号を付し、説明を省略する。
【００４８】
上記の如き壁構造では、図１，図２の壁構造のところで説明した作用効果に加えて、壁材Ｐ３相互間の隙間を埋めなくても、該隙間がフランジ部１ｄによって閉塞されるため、透視を防止することが可能となり、また、フランジ部１ｄの幅寸法の範囲内で壁材Ｐ３相互の間隔調整を行うことも可能となる。なお、間隔調整の際にフランジ部１ｄが固定部材６に当たらないように、固定部材６に切欠部６ｃが形成されている。
【００４９】
図８は本発明の更に他の実施形態に係る壁構造を示す横断面図である。
【００５０】
この図８の壁構造は、図１３に示すような組み合わせに係る壁材、即ち、縦長の前板１ａと、その両側端から後方へ折れ曲がる左右の側板１ｂ，１ｂと、これらの側板の後端からそれぞれ外側へ折れ曲がるフランジ部１ｄ，１ｄを一体に形成した断面がハット形の壁材Ｐ４と、フランジ部を形成していない前板１ａと左右の側板１ｂ，１ｂとからなる断面がコ字形の前述した壁材Ｐ１との組み合わせに係るものであって、コ字形の壁材Ｐ１の左右の側板の高さＨ１をハット形の壁材Ｐ４の左右の側板の高さＨ２よりもフランジ部１ｄの厚み分だけ低くなるように設定したものを使用し、図８に示すように、ハット形の壁材Ｐ４とコ字形の壁材Ｐ１を交互に配置して、ハット形の壁材Ｐ４のフランジ部１ｄ，１ｄの前にコ字形の壁材Ｐ１の側板１ｂ，１ｂを重ねて立設したものである。
【００５１】
その他の構成は前述した図１，図２の壁構造と同様であるので、図８において同一の部材に同一の符号を付し、説明を省略する。
【００５２】
上記の如き壁構造では、図１，図２の壁構造のところで説明した作用効果に加えて、ハット形の壁材Ｐ４とコ字形の壁材Ｐ１との隙間を埋めなくても、該隙間がフランジ部１ｄによって閉塞されるため、透視を防止することが可能となり、また、フランジ部１ｄの幅寸法の範囲内でハット形の壁材Ｐ４とコ字形の壁材Ｐ１の間隔調整を行うことも可能となる。なお、間隔調整の際にフランジ部１ｄが固定部材６に当たらないように、固定部材６には切欠部６ｃ，６ｃが形成されている。
【００５３】
図９は本発明の更に他の実施形態に係る壁構造を示す横断面図である。
【００５４】
この壁構造は、前述した壁材Ｐ３を使用し、図９に示すように、各壁材Ｐ３のフランジ部１ｄの前に次の壁材Ｐ３の側板１ｂを重ねて並べると共に、その後側に、同じ壁材Ｐ３を前後逆向きにして各フランジ部１ｄの後に次の壁材の側板１ｂを重ねて並べることにより、壁材Ｐ３を前後二重に並べたものであって、図示のように各壁材Ｐ３の下端部を下方のレール材２に嵌め込むと共に、各壁材Ｐ３の上端部を上方のレール材に嵌め込んで立設したものである。そして、前後の壁材Ｐ３，Ｐ３の間の空間部には、蛍光燈等の光源１５が配設されている。
【００５５】
尚、この壁構造は、各壁材Ｐ３の前板１ａとレール材２の前側板部２ａ及び後側板部２ｂとの間にバックアップ材やシーリング材が充填されてなく、前後二重に並べられた各壁材Ｐ３がレール材２の前側板部２ａと後側板部２ｂとによって直接挟持固定されており、また、固定部材６も省略されている。さらに、光源１５の取替えが行えるように、各壁材Ｐ３は上側のレール材２に押し上げることで壁材Ｐ３の下端部が下側のレール材２から外れて取り出せる、いわゆる観音落し構造になされている。
【００５６】
上記の如き壁構造は、前方から見ても後方から見ても、各壁材Ｐ３の前板１ａが面一に並んで厚い壁のように見え、各壁材Ｐ３の側板１ｂ，１ｂが見えないため、美観が向上する。そして、光源１５からの光が半透明の壁材Ｐ３を通して放出されるため、壁そのものが淡く光って見え、斬新な印象を与えることができる。なお、この実施形態に用いた壁材Ｐ３に代えて、他の壁材Ｐ１，Ｐ２，Ｐ４などを用いて二重に並べることで、同様な壁構造となすことができる。
【００５７】
【発明の効果】
以上の説明から明らかなように、本発明の壁構造は、合成樹脂製の壁材がガラスより軽量で取扱い易く、しかも、固定部材の介装によって各壁材の前板下端部を簡単に挟持固定できるため、施工性が良好であり、また、合成樹脂製の壁材はガラス製の壁材よりも安価であるため、施工費用も低減できるといった効果を奏する。
【００５８】
特に、壁材として、左右の側板の後端から内側へ折れ曲がるフランジ部を有するものを使用した壁構造は、壁材の曲げ強度が大きいため、風圧等に対する耐圧強度が向上し、また、一方の側板の後端から外側に折れ曲がるフランジ部を有する壁材を使用した壁構造や、ハット形の壁材とコ字形の壁材との組み合わせに係る壁材を使用した壁構造は、壁材相互の隙間を埋めなくても、該隙間がフランジ部で閉塞されて透視を防止することが可能となり、且つ、フランジ部の範囲内で壁材相互の間隔調整を行うことができるといった効果を併せて奏する。
【００５９】
また、壁材を前後逆向きにはして二重に並べた壁構造は、前方から見ても後方から見ても壁材の前板が面一に並んだ厚肉の壁のように見えるので外観が向上し、更に、前後の壁材の間に光源を配設した壁構造は、壁材を透過する光によって斬新な装飾効果を併せて発揮できる。
【図面の簡単な説明】
【図１】本発明の一実施形態に係る壁構造の縦断面図である。
【図２】図１のＡ−Ａ線横断面図である。
【図３】本発明の他の実施形態に係る壁構造の縦断面図である。
【図４】図３のＢ−Ｂ線横断面図である。
【図５】本発明の更に他の実施形態に係る壁構造の縦断面図である。
【図６】図５のＣ−Ｃ線横断面図である。
【図７】本発明の更に他の実施形態に係る壁構造の横断面図である。
【図８】本発明の更に他の実施形態に係る壁構造の横断面図である。
【図９】本発明の更に他の実施形態に係る壁構造の横断面図である。
【図１０】本発明の壁構造に使用される壁材の一例を示す部分斜視図である。
【図１１】本発明の壁構造に使用される壁材の他の例を示す部分斜視図である。
【図１２】本発明の壁構造に使用される壁材の更に他の例を示す部分斜視図である。
【図１３】本発明の壁構造に使用される壁材の更に他の例を示す部分斜視図である。
【符号の説明】
Ｐ１，Ｐ２，Ｐ３，Ｐ４　壁材
１ａ　壁材の前板
１ｂ　壁材の左右の側板
１ｃ　壁材の内側へ折れ曲がるフランジ部
１ｄ　壁材の外側へ折れ曲がるフランジ部
２，３　レール材
２ａ，３ａ　レール材の前側板部
２ｂ，３ｂ　レール材の後側板部
４　バックアップ材
５　シーリング材
６　壁材下端部固定用の固定部材
７　壁材上端部固定用の固定部材
６０，６１　固定部材である化粧木材
６ａ，７ａ　固定部材の前端部
６ｂ，７ｂ　固定部材の後端部
１０　サッシ
１５　光源
【図１】
2004003183.tif 000003
【図２】
2004003183.tif 000004
【図３】
2004003183.tif 000005
【図４】
2004003183.tif 000006
【図５】
2004003183.tif 000007
【図６】
2004003183.tif 000008
【図７】
2004003183.tif 000009
【図８】
2004003183.tif 000010
【図９】
2004003183.tif 000011
【図１０】
2004003183.tif 000012
【図１１】
2004003183.tif 000013
【図１２】
2004003183.tif 000014
【図１３】
2004003183.tif 000015